(57)【要約】      （修正有）【課題】新人看護師でも点滴合わせが容易にできる携帯型の点滴用ドリップカウンタを提供する。【解決手段】携帯型点滴用ドリップカウンタであって、輸液の滴下タイミングを検出する検出部と、検出した滴下間隔を目標とする滴下間隔に対する相対的なアナログ量として表示する表示部を備える。例えば、表示部には軌道ラインをなすドット列２７を表示し、その全長を目標とする滴下間隔とする。滴下タイミングを検出すると、滴下検出経過時間表示帯３３をドット列２７に重畳した状態で表示し、次の滴下タイミングを検出するまで右回りに延ばしていき、次の滴下タイミングを検出すると、延ばしを止めて終点３７を表示する。その位置と経過時間表示帯３３の長さに応じて、適正なのか、早すぎるのか、遅すぎるのかをアナログ量で視覚的に理解できる。【選択図】図９
0003194008.tif 000002
【実用新案登録請求の範囲】
【請求項１】
点滴筒に装着して利用するタイプの携帯型点滴用ドリップカウンタであって、
輸液の滴下タイミングを検出する検出部と、検出した滴下間隔を目標とする滴下間隔に対する相対的なアナログ量として表示する表示部を備えることを特徴とするドリップカウンタ。
【請求項２】
請求項１に記載した携帯型点滴用ドリップカウンタにおいて、
表示部には、軌道ラインと、前記軌道ラインに重畳描画され、滴下タイミングで開始位置から描画が開始されて延び、次の滴下タイミングで終了する滴下検出経過時間表示帯とが表示され、前記軌道ラインの全長が目標とする滴下間隔に、前記滴下検出経過時間表示帯の全長が検出した滴下間隔にそれぞれ対応していることを特徴とするドリップカウンタ。
【請求項３】
請求項２に記載した携帯型点滴用ドリップカウンタにおいて、
軌道ラインは円状になっており、一周が目標とする滴下間隔になっていることを特徴とするドリップカウンタ。
【請求項４】
請求項３に記載した携帯型点滴用ドリップカウンタにおいて、
滴下間隔の目標値範囲として、軌道ラインのうち滴下検出経過時間表示帯の始点を囲む一定の長さ分が識別表示されることを特徴とするドリップカウンタ。
【請求項５】
請求項４に記載した携帯型点滴用ドリップカウンタにおいて、
滴下間隔の適正、早すぎ、遅すぎの各範囲に応じて各別の状態表示マークが表示されることを特徴とするドリップカウンタ。
【請求項６】
請求項５に記載した携帯型点滴用ドリップカウンタにおいて、
状態表示マークが顔画像になっていることを特徴とするドリップカウンタ。
【請求項７】
請求項２から６のいずれかに記載した携帯型点滴用ドリップカウンタにおいて、
１回前の滴下タイミングの終了位置が表示されることを特徴とするドリップカウンタ。
【請求項８】
請求項１から７のいずれかに記載した携帯型点滴用ドリップカウンタにおいて、
点滴筒を斜め掛けで抱き込むことで装着するフック部を備えていることを特徴とするドリップカウンタ。
【請求項９】
請求項８に記載した携帯型点滴用ドリップカウンタにおいて、
フック部の対向する凹状抱込み面から、それぞれ滑り止めシートが延出していることを特徴とするドリップカウンタ。
【考案の詳細な説明】
【技術分野】
【０００１】
本考案は、点滴を開始する際の輸液の滴下状態のセットや点滴中の滴下状態の確認の際に使用する、携帯型のドリップカウンタに関するものである。
【背景技術】
【０００２】
患者へ点滴する場合には、看護師が医師から指示された点滴量と点滴時間から、１分当たりの滴下数を計算し、看護師の所持する時計等を見ながら滴下数を数えて調整を行うが、この調整作業は看護師の熟練度合に大きく影響されるので、特に新人看護師にとっては負担となっていた。
【先行技術文献】
【特許文献】
【０００３】
【特許文献１】特開平８−０３１７９７４号公報
【考案の概要】
【考案が解決しようとする課題】
【０００４】
そのため、最近では、点滴筒に取り付けたセンサーで滴下を検出し、必要な滴下情報を知らせる補助具が種々考案されている。
特許文献１が典型的なものであり、表示部に、医師から指示された点滴量と点滴時間に基づいて計算された目標点滴量（目標値）と、滴下検出し計算した実際の点滴量（実際値）を並列に表示するようになっている。
【０００５】
しかしながら、目標値と実際値の並列表示は、看護師に、視覚的なアドバイスを与えるだけでなく、目標値に合わせるよう心理的な圧迫感も与える。
而して、表示された目標値（１点）に合わせるのは非常に繊細な手作業を必要とし、非常に難しいが、そもそも点滴合わせにはそこまでの精度は要求されていない。
それ故に、補助具の活用は進んでいない。
本考案は、上記課題を解決するために、ユーザインターフェースに工夫を凝らし、実状に合わせた点滴合わせをするように仕向ける、新規且つ有用な携帯型の補助具を提供することを、その目的とする。
【課題を解決するための手段】
【０００６】
上記課題を達成するために、請求項１の考案は、点滴筒に装着して利用するタイプの携帯型点滴用ドリップカウンタであって、輸液の滴下タイミングを検出する検出部と、検出した滴下間隔を目標とする滴下間隔に対する相対的なアナログ量として表示する表示部を備えることを特徴とするドリップカウンタである。
【０００７】
請求項２の考案は、請求項１に記載した携帯型点滴用ドリップカウンタにおいて、表示部には、軌道ラインと、前記軌道ラインに重畳描画され、滴下タイミングで開始位置から描画が開始されて延び、次の滴下タイミングで終了する滴下検出経過時間表示帯とが表示され、前記軌道ラインの全長が目標とする滴下間隔に、前記滴下検出経過時間表示帯の全長が検出した滴下間隔にそれぞれ対応していることを特徴とするドリップカウンタである。
【０００８】
請求項３の考案は、請求項２に記載した携帯型点滴用ドリップカウンタにおいて、軌道ラインは円状になっており、一周が目標とする滴下間隔になっていることを特徴とするドリップカウンタである。
【０００９】
請求項４の考案は、請求項３に記載した携帯型点滴用ドリップカウンタにおいて、滴下間隔の目標値範囲として、軌道ラインのうち滴下検出経過時間表示帯の始点を囲む一定の長さ分が識別表示されることを特徴とするドリップカウンタである。
【００１０】
請求項５の考案は、請求項４に記載した携帯型点滴用ドリップカウンタにおいて、滴下間隔の適正、早すぎ、遅すぎの各範囲に応じて各別の状態表示マークが表示されることを特徴とするドリップカウンタである。
【００１１】
請求項６の考案は、請求項５に記載した携帯型点滴用ドリップカウンタにおいて、状態表示マークが顔画像になっていることを特徴とするドリップカウンタである。
【００１２】
請求項７の考案は、請求項２から６のいずれかに記載した携帯型点滴用ドリップカウンタにおいて、１回前の滴下タイミングの終了位置が表示されることを特徴とするドリップカウンタである。
【００１３】
請求項８の考案は、請求項１から７のいずれかに記載した携帯型点滴用ドリップカウンタにおいて、点滴筒を斜め掛けで抱き込むことで装着するフック部を備えていることを特徴とするドリップカウンタである。
【００１４】
請求項９の考案は、請求項８に記載した携帯型点滴用ドリップカウンタにおいて、フック部の対向する凹状抱き込み面から、それぞれ滑り止めシートが延出していることを特徴とするドリップカウンタである。
【考案の効果】
【００１５】
本考案の携帯型点滴用ドリップカウンタを使用すれば、新人でも点滴合わせを容易にできるようになる。
【図面の簡単な説明】
【００１６】
【図１】本考案の実施の形態に係る携帯型点滴用ドリップカウンタの使用状態の斜視図である。
【図２】図１の携帯型点滴用ドリップカウンタの拡大斜視図である。
【図３】図２の携帯型点滴用ドリップカウンタの側面図である。
【図４】図３の携帯型点滴用ドリップカウンタの正面図である。
【図５】図４の携帯型点滴用ドリップカウンタの裏面図である。
【図６】図２の携帯型点滴用ドリップカウンタの装着時の断面図である。
【図７】図６を一部改変した携帯型点滴用ドリップカウンタの装着時の断面図である。
【図８】携帯型点滴用ドリップカウンタの表示部上の時計表示モードの画面である。
【図９】携帯型点滴用ドリップカウンタの表示部上の点滴合わせモードの画面である。
【図１０】点滴合わせモードでの初期画面である。
【図１１】図７に続く検出開始画面である。
【図１２】点滴合わせモードでの[適正フロー]の画面遷移図である。
【図１３】点滴合わせモードでの[早すぎフロー]の画面遷移図である。
【図１４】点滴合わせモードでの[遅すぎフロー]の画面遷移図である。
【図１５】[遅すぎフロー]での特別な顔画像の図である。
【考案を実施するための形態】
【００１７】
本考案の実施の形態に係る携帯型点滴用ドリップカウンタ１を、図面に従って説明する。
図１は、点滴用スタンド（図示省略）に輸液バッグＢを吊下げた状態を示している。携帯型点滴用ドリップカウンタ１は、この輸液バッグＢに接続された点滴筒Ｓに取付けられている。
携帯型点滴用ドリップカウンタ１の外形を成す筺体３の大きさや外観は、片手で持てる程度のコンパクトな携帯型で、正面と裏面を縦長の長円形とする扁平な形状になっている。
【００１８】
図２に詳細に示すように、この筐体３の上部には、点滴筒Ｓへ取付けるフック部５が備えられている。図３に示すように、このフック部５の内面が湾曲した抱き込み面５になっており、この抱き込み面５のうち上下の対向面５Ｕ、５Ｌは傾斜しており、正面側から裏面側に向かって斜めに下がっている。
【００１９】
図４、図５に示すように、符号６は滑り止めとしてのゴム製シートを示し、抱き込み面５Ｕ、５Ｌからそれぞれ対向側に延出している。上側のゴム製シート６Ｕは抱き込み面５Ｕ側を周縁とする半円状に延出し、下側のゴム製シート６Ｌは抱き込み面５Ｌを周縁とする半円状に延出している。また、図３に示すように、上下のゴム製シート６、略同じ平面上にある。
従って、図６に示すように、点滴筒Ｓはフック部５に挿通されると斜め掛けで抱き込まれて装着される。その装着時には、点滴筒Ｓがゴム製シート６Ｕ、６Ｌに挟まれている。
この抱き込み状態を利用して筐体３が点滴筒Ｓ側に取付けられている。
【００２０】
なお、図７に示すように、ゴム製シート６が無くとも、傾斜によって生じるモーメントが働いて釣り合うので、点滴筒Ｓは斜め上方側と斜め下方側から押えられて静止する。ゴム製シート６は、滑り止めにより、この静止状態をより安定したものとしている。
【００２１】
図３にも示すように、筐体３の正面側は、フック部５の下側が前方に向かって膨出した膨出部７となっている。この膨出部７の上面は、フック部５の内縁のうち下側の縁部分と連続している。この上面にはセンサー投光部９が設けられ、フック部５の内縁のうち上側部分で、この点滴センサー投光部９からの光を受光するための点滴センサー受光部１１が設けられており、検出部が構成されている。
上記した抱き込み状態では、点滴筒Ｓを挟んで点滴センサー投光部９と点滴センサー受光部１１とが対向するようになっており、滴下が有った場合にはその液滴を通過するようになっている。光は液滴を通過した場合としなかった場合とでは変化するので、その変化を利用して滴下タイミングを検出するようになっている。
【００２２】
また、筐体３の下側には溝１３が形成されており、点滴筒Ｓへの取付け時には、図２に示すように、その溝１３にチューブＴの一部を挟み込めば、使用中の落下が防止される。
【００２３】
図４に詳細に示すように、筐体３の正面には、上記したフック部５の下側に、ＬＣＤ表示器１５と、「モード変更」ボタン１７、「プラス（＋）」ボタン１９、「マイナス（−）」ボタン２１が設けられている。
筐体３には、制御部・処理部としてのマイコン（タイマ内蔵）が備えられており、上記各部を制御すると共に各種処理を行うことで、各機能を実現している。
【００２４】
具体的には、受取り機能は、作業者のボタンの押下操作に因る要求や点滴センサー受光部１１からの受光情報をマイコンに受け渡すものであり、マイコンが各ボタン１７、１９、２１や、点滴センサー投光部９および点滴センサー受光部１１を制御して実現している。
時計機能は、マイコンが時計ＩＣから現在時刻を取得し、外部メモリに記憶させた時計画像と組み合わせて時計画面を作成し、その時計画面をＬＣＤ表示器１５に送って表示させて実現している。
点滴合わせ機能は、マイコンが受け取った受光情報を基に、ＬＣＤ表示器１５に表示させる遷移画面を作成することで実現している。
【００２５】
次に、モード毎に、各機能の動作フローを、ＬＣＤ表示器１５で表示される画面を提示しながら説明する。
電源ＯＮについては、「モード変更」ボタン１７、「プラス（＋）」ボタン１９、「マイナス（−）」ボタン２１のいずれかを押すことで実行される。
電源ＯＦＦについては、後述する〈時計表示モード〉で何も操作せずに約３分経過することで自動的に実行される。
【００２６】
〈時計表示モード〉（図８）
電源ＯＮにすると、先ず待機モードに入るが、この待機モードが〈時計表示モード〉になっており、時計画面が表示される。
マイコンが時計ＩＣで現在時刻を取得して、数字画像を生成して、現在の日付および時刻２３を表示するが、それと共に、バッテリー状態２５も表示されている。この携帯型点滴用ドリップカウンタ１は、スマートフォンと同様に内蔵バッテリーからの電源供給を受けて動作するようになっており、バッテリー状態２５を各段階に分けて表示して、バッテリー充電のタイミングを報知している。
【００２７】
時計合わせをする場合には、「モード変更」ボタン１７を長押して時計合わせモードにする。初期では、合わせ対象が「年」になっており、さらに、「モード変更」ボタン１７を押すことで、合わせ対象を「年」から、「月」、「日」、「時」、「分」に順次変更される。合わせ対象は、点滅するので、現在どれが合わせ対象になっているかは確認できる。
時計合わせは、「プラス（＋）」ボタン１９を押す毎に「＋１」加算、「マイナス（−）」ボタン２１を押す毎に「−１」減算されるので、これらのボタンの押下により行う。
「分」が合わせ対象となった後に、「モード変更」ボタン１７を押せば、待機モードである〈時計表示モード〉に戻る。
【００２８】
〈モード変更〉
「モード変更」ボタン１７を押す毎に、〈時計表示モード〉と〈点滴合わせモード〉が交互に切り替わって変更される。
【００２９】
〈点滴合わせモード〉（図９）
この点滴合わせモードは、作業者が、輸液の滴下間隔を確認するのに利用する。
点滴合わせモードの初期画面が図９に示すものであり、背景は黒色になっている。その背景で、縦長の長円形の軌道ラインを描くようにドット列２７のドット（灰色）が表示されている。このドット列２７は時間軸を示したものであり、その全長、すなわち一周分が目標とする滴下間隔になっている。
このドット列２７のうち、上部の円弧状部分のドット列は目標値範囲２９になっており、ドットで白色表示され区別されている。
また、一つのドット３１は後述する前回表示ドットになって水色表示される。
【００３０】
ドット列２７の上側の中心から右側にかけて、太線の滴下検出経過時間表示帯（ライン）３３が重畳描画されている。この滴下検出経過時間表示帯３３の始点３５は、ドット列２７の目標値範囲２９の中心となるドットに重なっている。残りの端の点は、丸印終点（中心部は白色）３７になっている。この滴下検出経過時間表示帯３３は時間の経過についてドット列２７に重なって延びていくようになっており、任意の滴下の検出タイミングで始点３５から右周りで延び始め、その次の滴下の検出タイミングで延びが停止し、丸印終点３７の位置が確定し、その二回の滴下の間隔が決まる。
滴下検出経過時間表示帯３３は前２回の滴下タイミングの検出から導かれた滴下間隔の結果に基づいて、後述する３種類（早すぎ（黄色）、適正（緑色）、遅すぎ（桃色））で色分け表示される。
目標値範囲を示すドット列２９の下側には目標値範囲を示すライン（緑色）３９が表示されており、目標値範囲は、滴下検出経過時間表示帯３３が目標値範囲のドット上に重畳描画されても、そのライン表示により常に確認できる。
【００３１】
ドット列２７で囲まれた部分には、状態表示マークとしての顔画像４１が表示されている。この顔画像４１には、検出結果に各別に対応して３種類のデザイン（早すぎ、適正、遅すぎ）が用意されており、その顔色も、上記した滴下検出経過時間表示帯３３と同様に、色分け表示されるようになっている。
【００３２】
顔画像４１の下方には、設定流量（数値）（白色）４３が表示されている。
設定範囲は、「５〜２００ｍｌ／ｈ」になっており、「プラス（＋）」ボタン１９を押せば加算され、「マイナス（−）」ボタン２１を押せば減算されるので、これらのボタンの押下により設定する。ドット列２７の一周分が目標とする滴下間隔になっているので、この設定流量によって、滴下検出経過時間表示帯３３の延び速度が決まることになる。
なお、操作の便宜を考慮して、「５〜４５ｍｌ／ｈ」では、１回の押下で「５ｍｌ／ｈ」単位で加算または減算され、「５０〜２００ｍｌ／ｈ」では、１回の押下で「１０ｍｌ／ｈ」単位で加算または減算されるように調整されている。
【００３３】
次に、この〈点滴合わせモード〉における画面遷移を、点滴合わせの操作と関連付けて説明する。
検出開始前の初期状態では、図１０に示すように、顔画像４１や滴下検出経過時間表示帯３３は表示されていない。また、前回表示ドット３１も表示されていない。
ローラークレンメＲを動かして調整を開始していくと、図１１に示すように、先ず、最初の滴下タイミングの検出により、滴下検出経過時間表示帯３３の始点３５が表出し、矢印に示すように、右周りに延びていく。その際、滴下検出経過時間表示帯３３の色は仮のものとなっている。
そして、次の滴下タイミングの検出により、滴下検出経過時間表示帯３３の延びが止まり、その止まった丸印終点３７の位置と滴下検出経過時間表示帯３３の延びた長さに応じて、“早すぎ”、“適正”、 “遅すぎ”が判定されて、その結果に対応する顔画像４１が表示されると共に、滴下検出経過時間表示帯３３の色も対応するものになる。
【００３４】
滴下検出経過時間表示帯３３の延びた長さが、一周分±（目標値範囲／２）に収まれば、一周に少し欠けるか、少し超えることになり、丸印終点３７が目標値範囲３９のいずれかのドットに重なるので、“適正”と判定される。
滴下検出経過時間表示帯３３の延びた長さが、一周分−（目標値範囲／２）よりも短ければ、“早すぎ”と判定され、丸印終点３７は目標値範囲３９から外れたドットに重なる。丸印終点３７が目標値範囲３９の右端寄りにあれば、極端に早すぎ、左寄りにあれば、少し早すぎを示すので、その位置でどの程度早すぎているのかをアナログ量として確認できる。
滴下検出経過時間表示帯３３の延びた長さが、一周分＋（目標値範囲／２）よりも長ければ、“遅すぎ”と判定され、丸印終点３７は目標値範囲３９から外れたドットに重なる。丸印終点３７が目標値範囲３９の右端寄りにあれば、少し遅すぎ、左寄りにあれば、極端に遅すぎを示すので、その位置でどの程度遅すぎているのかをアナログ量として確認できる。なお、“遅すぎ”の場合には、ドット列２７を、一周を超えて周ることになるので、滴下検出経過時間表示帯３３は一周目も二周目以降も色は変わらないが、顔画像４１は別の特別な画像（後述）に代わる。
【００３５】
[適正フロー]：目標値範囲のとき（図１２）
“適正”の場合には、図１２（Ａ）に示すように、顔画像４１のデザインと色、さらに滴下検出経過時間表示帯３３の色が“適正”のものになり、目標値範囲３９のドットの一つが丸印終点３７となる。
この状態で次の滴下タイミングを検出すると、画面がリセットされ、図１２（Ｂ）に示すように、丸印終点３７が前回表示ドット３１に変わると共に、滴下検出経過時間表示帯３３が再び始点３５から矢印に示すように右周りで延びていく。
そして、次の滴下タイミングの検出までは、図１２（Ｃ）に示すように、滴下検出経過時間表示帯３３がさらに右周りで延び続ける。
一度“適正”の画面を確認できれば、点滴合わせは完了するので、そのまま電源をＯＦＦにしなければ、通常は、[適正フロー]が続き、画面上では前回表示ドット３１だけが目標値範囲内で更新されることになる。
【００３６】
[早すぎフロー]（図１３）
“早すぎ”の場合には、図１３（Ａ）に示すように、顔画像４１のデザインと色、さらに滴下検出経過時間表示帯３３の色が“早すぎ”のものになり、目標値範囲３９から外れたドットの一つが丸印終点３７となる。
この状態で次の滴下タイミングを検出すると、画面がリセットされ、図１３（Ｂ）に示すように、丸印終点３７が前回表示ドット３１に変わると共に、滴下検出経過時間表示帯３３が再び始点３５から矢印に示すように右周りで延びていく。
なお、前回表示ドット３１を超えて延びても、その表示は残される。
【００３７】
そして、丸印終点３７の位置を決める新たな滴下タイミングの検出により、画面がリセットされ、丸印終点３７が前回表示ドット３１に変わると共に、滴下検出経過時間表示帯３３が再び始点３５から右周りで延びていく。
ローラークレンメＲの調整により、丸印終点３７の位置は変わっていく。
この場合には、[早すぎフロー]になっているので、滴下検出経過時間表示帯３３の延びを長くする方向に調整することになる。
“早すぎ”の度合いを確認しながら、ローラークレンメＲを調整操作していき、図１３（Ｃ）に示すように、滴下検出経過時間表示帯３３が延びて丸印終点３７が目標値範囲３９に入って止まると、図１２（Ａ）に示すような、顔画像４１のデザインと色、さらに滴下検出経過時間表示帯３３の色が“適正”なものに表示変更されるので、点滴合わせは完了する。
【００３８】
[遅すぎフロー]（図１４）
“遅すぎ”の場合には、図１４（Ａ）に示すように、顔画像４１のデザインと色、さらに滴下検出経過時間表示帯３３の色が“遅すぎ”のものになり、目標値範囲３９から外れたドットの一つが丸印終点３７となる。
この状態で次の滴下タイミングを検出すると、画面がリセットされ、図１４（Ｂ）に示すように、丸印終点３７が前回表示ドット３１に変わると共に、滴下検出経過時間表示帯３３が再び始点３５から矢印に示すように右周りで延びていく。
なお、このフローでも、滴下検出経過時間表示帯３３が前回表示ドット３１を超えて延びても、その表示は残される。
【００３９】
そして、丸印終点３７の位置を決める新たな滴下タイミングの検出により、画面がリセットされ、丸印終点３７が前回表示ドット３１に変わると共に、滴下検出経過時間表示帯３３が再び始点３５から右周りで延びていく。
ローラークレンメＲの調整により、丸印終点３７の位置は変わっていくが、この場合には、[遅すぎフロー]になっているので、滴下検出経過時間表示帯３３の延びを短くする方向に調整することになる。
“遅すぎ”の度合いを確認しながら、ローラークレンメＲを調整操作していき、図１４（Ｃ）に示すように、滴下検出経過時間表示帯３３が延びても丸印終点３７が目標値範囲３９に収まって止まると、図１２（Ａ）に示すような、顔画像４１のデザインと色、さらに滴下検出経過時間表示帯３３の色が“適正”なものに表示変更されるので、点滴合わせは完了する。
【００４０】
なお、遅れには二周以上の場合も考えられるので、区別するために、二周以上の遅れの場合には、図１５の顔画像４１が表示されるようになっている。
また、点滴合わせ中には、上記したように、[早すぎフロー]→[適正フロー]、[遅すぎフロー]→[適正フロー]になる場合だけでなく、[早すぎフロー]→[遅すぎフロー]→[適正フロー]のように[早すぎフロー]と[遅すぎフロー]が交互に繰り返される場合があり、実際には目標値範囲が近づけばそのようになる場合が多いが、その場合には、“早すぎ”画面→“遅すぎ”画面、または、“遅すぎ”画面→“早すぎ”画面へ遷移することになる。
【００４１】
以上、本考案の実施の形態を説明したが、本考案の具体的構成は上記の実施の形態に限定されるものではなく、本考案の要旨から外れない範囲での設計変更があっても本考案に含まれる。
例えば、筺体の形状や、表示画面中の各種画像の大きさやデザインは、要求される機能を果たせるものであれば良く、実施の形態のものには限定されない。
【符号の説明】
【００４２】
１‥‥携帯型点滴用ドリップカウンタ
３‥‥筐体                            ５‥‥フック部
５Ｕ，５Ｌ‥‥抱き込み面              ６‥‥ゴム製シート
７‥‥膨出部                          ９‥‥センサー投光部
１１‥‥点滴センサー受光部            １３‥‥溝
１５‥‥ＬＣＤ表示器                  １７、１９、２１‥‥ボタン
Ｂ‥‥輸液バッグ                      Ｓ‥‥点滴筒
Ｔ‥‥チューブ
【図１】
0003194008.tif 000003
【図２】
0003194008.tif 000004
【図３】
0003194008.tif 000005
【図４】
0003194008.tif 000006
【図５】
0003194008.tif 000007
【図６】
0003194008.tif 000008
【図７】
0003194008.tif 000009
【図８】
0003194008.tif 000010
【図９】
0003194008.tif 000011
【図１０】
0003194008.tif 000012
【図１１】
0003194008.tif 000013
【図１２】
0003194008.tif 000014
【図１３】
0003194008.tif 000015
【図１４】
0003194008.tif 000016
【図１５】
0003194008.tif 000017